(57)【要約】  シート材ストッカー（３Ａ）のうち矩形状をなすシ多数のシート材（Ｗ）の四周の四辺を揃えるかたちで積層・収容しているケース（７）のうち、その上端部内壁面に傾斜面（１８ａ）を有するゲートブロック（１８）を対向配置する。最上位のシート材（Ｗ）を含む上位側の複数枚のシート材（Ｗ）を上側に向かって凸となるように湾曲させて、それら上位側の複数枚のシート材（Ｗ）に予め上側に向かって凸となる所定の曲率を付与する。この構造のために、多数枚積層されたシート材（Ｗ）をシート材取り出し手段により上側のものから順に一枚ずつ取り出すにあたって、シート材（Ｗ）が比較的剛性の高いものであっても、二枚取りを防止して、一枚ずつ確実に取り出すことができる。
2014034363.tif 000002
【特許請求の範囲】
【請求項１】
シート材ストッカーのケースに多数枚積層・収容されたシート材をシート材取り出し手段により上側のものから順に一枚ずつ取り出しては任意の位置に供給する方法であって、
上記シート材ストッカー側のシート材のうち最上位のシート材を含む上位側の複数枚のシート材に予め上側に向かって凸となる曲率を付与するようにしたシート材の分離・供給方法。
【請求項２】
上位側のシート材ほど曲率が大きくなるように複数枚のシート材に予め曲率を付与するようにした請求項１に記載のシート材の分離・供給方法。
【請求項３】
上記シート材ストッカー側では、最上位のシート材がシート材取り出し手段による取り出し高さ位置となるように、上記シート材取り出し手段によるシート材の取り出し動作に連動してシート材積層体が順次押し上げられるようになっていて、
上記シート材積層体の押し上げ状態において、最上位のシート材を含む上位側の複数枚のシート材に予め曲率を付与するようにした請求項２に記載のシート材の分離・供給方法。
【請求項４】
上記最上位のシート材を含む上位側の複数枚のシート材に、それらのシート材同士の少なくとも中央部が相互に剥離するように予め曲率を付与するようにした請求項２または３に記載のシート材の分離・供給方法。
【請求項５】
シート材ストッカーのケースに多数枚積層・収容されたシート材をシート材取り出し手段により上側のものから順に一枚ずつ取り出しては任意の位置に供給する装置であって、
上記ケースの上端部のうちシート材の対向二辺部に相当するそれぞれの内壁面同士のなす距離が上方に向かって漸次小さくなるように、上記それぞれの内壁面を傾斜面としてあり、
上記シート材ストッカー側のシート材のうち最上位のシート材を含む上位側の複数枚のシート材に予め上側に向かって凸となる曲率を付与するようにしたシート材の分離・供給装置。
【請求項６】
上位側のシート材ほど曲率が大きくなるように複数枚のシート材に予め曲率を付与するようにした請求項５に記載のシート材の分離・供給装置。
【請求項７】
上記シート材ストッカー側では、最上位のシート材がシート材取り出し手段による取り出し高さ位置となるように、上記シート材取り出し手段によるシート材の取り出し動作に連動してシート材積層体が順次押し上げられるようになっていて、
上記シート材積層体の押し上げ状態において、最上位のシート材を含む上位側の複数枚のシート材に予め曲率を付与するようにした請求項６に記載のシート材の分離・供給装置。
【請求項８】
上記最上位のシート材を含む上位側の複数枚のシート材に、それらのシート材同士の少なくとも中央部が相互に剥離するように、予め上側に向かって凸となる曲率を付与するようにした請求項６または７に記載のシート材の分離・供給装置。
【請求項９】
上記シート材は樹脂製で且つ矩形状のものである請求項４〜６のいずれか一つに記載のシート材の分離・供給装置。
【請求項１０】
シート材ストッカーのケースに多数枚積層・収容されたシート材をシート材取り出し手段により上側のものから順に一枚ずつ取り出しては接着剤塗布工程に移送し、この接着剤塗布工程にて上記シート材に接着剤を塗布する方法であって、
上記シート材に接着剤を塗布する前であって且つ上記シート材ストッカー側にシート材が積層されている状態で当該シート材に所定の曲率を付与するようにしたシート材の接着剤塗布方法。
【請求項１１】
上記接着剤塗布工程では、シート材に対して塗布ガンが接着剤を散布することでその塗布を行うものである請求項１０に記載のシート材の接着剤塗布方法。
【請求項１２】
最上位のシート材を含む上位側の複数枚のシート材に予め上側に向かって凸となる曲率を付与するようにした請求項１０または１１に記載のシート材の接着剤塗布方法。
【請求項１３】
上位側のシート材ほど曲率が大きくなるように複数枚のシート材に予め曲率を付与するようにした請求項１２に記載のシート材の接着剤塗布方法。
【請求項１４】
上記シート材ストッカー側では、最上位のシート材がシート材取り出し手段による取り出し高さ位置となるように、上記シート材取り出し手段によるシート材の取り出し動作に連動してシート材積層体が順次押し上げられるようになっていて、
上記シート材積層体の押し上げ状態において、最上位のシート材を含む上位側の複数枚のシート材に予め曲率を付与するようにした請求項１２または１３に記載のシート材の接着剤塗布方法。
【請求項１５】
上記最上位のシート材を含む上位側の複数枚のシート材に、それらのシート材同士の少なくとも中央部が相互に剥離するように、予め曲率を付与するようにした請求項１１〜１４のいずれか一つに記載のシート材の接着剤塗布方法。
【発明の詳細な説明】
【技術分野】
【０００１】
本発明は、シート材の分離・供給方法とその装置およびシート材の接着剤塗布方法に関し、特にシート材ストッカーのケースに多数枚積層・収容されたシート材をシート材取り出し手段により上側のものから順に一枚ずつ取り出す方法と装置のほか、その技術を用いた接着剤塗布方法に関する。
【背景技術】
【０００２】
周知のように、ストッカーに多数枚積層・収容されたシート材のうち上側のものから順に一枚ずつ取り出すに際して、いわゆる二枚取りを防止したいとの要請があり、例えば特許文献１には二枚取り防止具を備えたシート材の移送装置が開示されている。【０００３】
この特許文献１に記載された技術では、対象となるシートよりも一回り小さな穴を有する二枚取り防止具を用意し、ストッカーからシート取り出し手段にてシートを取り出す際に、上記二枚取り防止具にシートを通過させて当該シートの縁部を下方に撓ませるようにしたものである。この方法によれば、シート取り出し手段にて取り出そうとしたシート材が仮に二枚以上重なっていた場合に、最上位のシートのみを残してそれ以外のシートを剥がすことができ、シートを一枚ずつ確実に取り出すことができるとされている。【０００４】
しかしながら、特許文献１に記載された技術では、例えば紙や布等の柔軟性のあるシートの場合には適用することができたとしても、例えば樹脂シートのように比較的剛性の高いシートの場合には、二枚取り防止具にシートを通過させることが困難であり、なおも改善の余地を残している。
【先行技術文献】
【特許文献】
【０００５】
【特許文献１】特開２０００−１６８９７６号公報
【発明の概要】
【０００６】
本発明はこのような課題に着目してなされたものであり、多数枚積層されたシート材をシート材取り出し手段により上側のものから順に一枚ずつ取り出すにあたって、シート材が比較的剛性の高いものであっても、簡単な構造のもので二枚取りを防止できるようにした方法と装置、およびその技術を用いた接着剤塗布方法を提供しようとするものである。
【０００７】
本発明は、シート材ストッカーのケースに多数枚積層・収納されたシート材をシート材取り出し手段により上側のものから順に一枚ずつ取り出すにあたって、シート材ストッカー側のシート材のうち最上位のシート材を含む上位側の複数枚のシート材に予め上側に向かって凸となる曲率を付与するものである。
【０００８】
本発明によれば、最上位のシート材を含む上位側の複数枚のシート材に予め上側に向かって凸となる曲率を付与すれば、少なくとも最上位のシート材とその下のシート材とが剥離して両者の間に隙間が形成されることになるので、シート材取り出し手段によるシート材の取り出しに際して二枚取りを未然に防止することができる。
【図面の簡単な説明】
【０００９】
【図１】本発明に係るシート材の分離・供給装置を含む接着剤塗布ラインの概略構成を示す平面説明図。
【図２】図１におけるＤ方向矢視の拡大説明図。
【図３】図１におけるＣ方向矢視の拡大説明図。
【図４】図３の平面説明図。
【図５】図３の要部拡大説明図。
【発明を実施するための形態】
【００１０】
図１以下の図面は本発明に係るシート材の分離・供給方法とその装置を実施するためのより具体的な形態を示し、特に図１はシート材に対して接着剤を塗布するためのラインの概略平面図を示している。
【００１１】
上記シート材は、例えばＰＰ（ポリプロピレン）その他の樹脂製で且つ矩形状のもので、厚みが１ｍｍ程度で電気絶縁性を有しているものである。ここでは、特にリチウムイオン二次電池のモジュールとして、薄型ラミネート構造の複数枚のセルを金属製のハードケースに収容してモジュール化する際に、絶縁シートとして使用されるシート材を想定している。そして、この絶縁シートとして機能するシート材は、リチウムイオン二次電池モジュールのセルとハードケースとが直接接触するのを回避するために、接着接合をもってセルとハードケースとの間に介装されることになる。それ故に、シート材単体の状態で予めその表裏両面に接着剤を塗布する必要があり、図１ではその接着材塗布ラインの概略を示している。
【００１２】
図１に示すように、コンベヤ２を主体とする接着剤塗布ライン１では、始端部側から順にシート材投入工程Ｓ１と、接着剤塗布工程（表側）Ｓ２、表裏反転工程Ｓ３、接着剤塗布工程（裏側）Ｓ４、およびシート材取り出し工程Ｓ５の各工程（ステージ）を有していて、始端部側から終端部側に向かって、図示しないパレットに位置決め載置されたシート材が順次搬送されるようになっている。
【００１３】
さらに、シート材投入工程Ｓ１の両側にはシート材ストッカー３Ａ，３Ｂが用意されていて、それぞれのシート材ストッカー３Ａ，３Ｂには所定のシート材が多数枚積層・収容されている。そして、後述するように、シート材ストッカー３Ａまたは３Ｂに積層・収容されているシート材が一枚ずつシート材取り出し手段にて取り出されて、シート材投入工程Ｓ１で待機しているパレットの上に位置決めされつつ投入されることになる。
【００１４】
図２は図１におけるＤ方向矢視図を示していて、上記接着剤塗布工程Ｓ２では、同図に示すように、コンベヤ２の上方に門型のフレーム４を介して接着剤塗布装置５が用意されていて、コンベヤ２によるシート材の連続搬送と同期して接着剤塗布装置５の塗布ガン６が矢印ａで示すコンベヤ２の幅方向（コンベヤ搬送方向と直交方向）に往復移動していわゆるオシレート動作することで、コンベヤ２のパレット上に載置されているシート材Ｗの表面全面に接着剤が塗布ガン６による散布によって塗布される。
【００１５】
この接着剤塗布の仕組みは後段の接着塗布工程Ｓ４においても同様であり、前段側の接着剤塗布工程Ｓ２においてシート材Ｗの表面に接着剤が塗布されると、シート材Ｗは表裏反転工程Ｓ３において図示しない反転手段により表裏反転された上で後段側の接着剤塗布工程Ｓ４に搬入され、この接着剤塗布工程Ｓ４においてシート材Ｗの裏面側にも接着剤が塗布されることになる。
【００１６】
そして、その表裏両面に接着剤が塗布されたシート材Ｗは後段側のシート材取り出し工程Ｓ５に搬送されて取り出された上で、後工程であるリチウムイオン二次電池のモジュール組み立て工程に投入されることになる。
【００１７】
図３は図１におけるＣ方向矢視図を示していて、また図４は図３の平面図を示している。
【００１８】
図３，４に示すように、シート材投入工程Ｓ１をはさんでその両側にはシート材ストッカー３Ａ，３Ｂが配置されており、それぞれのシート材ストッカー３Ａ，３Ｂのケース７には四周の四辺を揃えるかたちで整列されたシート材Ｗが多数枚積層・収容されている。
【００１９】
ここで、双方のシート材ストッカー３Ａ，３Ｂが同時に稼働されることはなく、いずれか一方のシート材ストッカー３Ａまたは３Ｂに残されたシート材Ｗがごく小数枚となったり、あるいは全て取り出されて空載状態となった場合に、他方のシート材ストッカー３Ｂまたは３Ａからシート材Ｗを取り出すように切り換えられ、その他方のシート材ストッカー３Ｂまたは３Ａからシート材Ｗを取り出している間に、先に空載状態となった一方のシート材ストッカー３Ａまたは３Ｂにシート材Ｗが補充されることになる。
【００２０】
そして、現在稼働中のシート材ストッカー、例えば図３の右側のシート材ストッカー３Ａが現在稼働中である場合には、その上方からのシート材Ｗの取り出しを許容するために上方のストッカーカバー８ａが開いている一方、現在稼働していないの図３の左側のシート材ストッカー３Ｂについては、シート材Ｗの補充作業等の安全対策のためにストッカーカバー８ｂが閉じられている。このように、双方のシート材ストッカー３Ａ，３Ｂが同時に稼働して使用されることはなく、一台ごとに交互に使用されることになる。
【００２１】
また、シート材投入工程Ｓ１の上方には、双方のシート材ストッカー３Ａ，３Ｂにまたがるかたちで移載装置９が配置されている。この移載装置９は、シート材取り出し手段である移載ヘッド１１をフレーム１０に沿って走行移動可能に設けるとともに、さらにその移載ヘッド１１に複数個のバキュームパッド（バキュームカップ）１２を上下動可能に設けたものである。そして、例えば一方のシート材ストッカー３Ａの真上に移載ヘッド１１が位置したならば、複数のバキュームパッド１２の下降動作にてシート材ストッカー３Ａのうち最上位のシート材Ｗを吸着支持する。複数のバキュームパッド１２がシート材Ｗを吸着支持すると、移載ヘッド１１は吸着支持しているシート材Ｗごとバキュームパッド１２を上昇動作させた上で、コンベヤ２上のシート材投入工程Ｓ１の真上まで走行移動する。こうして、移載ヘッド１１がシート材投入工程Ｓ１の真上まで走行移動したならば、移載ヘッド１１は吸着支持しているシート材Ｗごとバキュームパッド１２を下降動作させ、バキュームパッド１２の負圧を解除することで、シート材Ｗがバキュームパッド１２から解放されてシート材投入工程Ｓ１で待機しているパレットＰの上に位置決めされつつ移載される。この後、移載ヘッド１１は再びシート材ストッカー３Ａの真上まで走行移動し、以降は上記と同様の動作を繰り返すことになる。
【００２２】
それぞれのシート材ストッカー３Ａ，３Ｂは、先に述べたように平面視にて矩形状をなすケース７に四周の四辺を揃えるかたちで整列されたシート材Ｗが多数枚積層・収容されているもので、シート材Ｗの積層体全体が図示外のモータにてリフトアップ駆動されるリフタテーブル１３に支持されている。そして、多数枚積層・収容されたシート材Ｗのうち最上位のシート材Ｗが常に一定の取り出し高さ位置となるように、リフタテーブル１３が間欠的にリフトアップ動作してシート材Ｗの積層体全体の高さ位置が制御される。
【００２３】
より詳しくは、それぞれのシート材ストッカー３Ａ，３Ｂには最上位のシート材Ｗの高さ位置、すなわち最上位のシート材Ｗがシート材取り出し高さ位置にあることを検出する非接触式の在席センサ１４のほか、リフタテーブル１３の上昇限位置および下降限位置を管理するリミットスイッチ１５，１６が設けられている。これらのリミットスイッチ１５，１６はリフタテーブル１３に付帯するドッグ１７によってＯＮ−ＯＦＦ作動する。なお、上記在席センサ１４としては光電センサやレーザセンサが用いられる。
【００２４】
そして、最上位のシート材Ｗが移載ヘッド１１によって取り出されると、その在席センサ１４の光軸Ｑを遮るものがなくなるので、在席センサ１４のＯＦＦ作動を受けてリフタテーブル１３がリフトアップ動作する。このリフタテーブル１３とともにシート材Ｗの積層体全体がリフトアップされ、次のシート材Ｗが在席センサ１４の光軸Ｑを遮る位置、すなわちシート材取り出し高さ位置に到達すると、直ちに在席センサ１４がＯＮ作動してリフタテーブル１３のリフトアップ動作が停止する。先に述べた移載ヘッド１１によるシート材Ｗの取り出し動作に同期して、このようなシート材ストッカー３Ａ，３Ｂ側での間歇的なリフトアップ動作を繰り返すことで、シート材Ｗの積層体のうち最上位のシート材Ｗが常に所定のシート材取り出し高さ位置に位置決めされることになる。
【００２５】
また、上記のようなリフトアップ動作を繰り返すうちにリミットスイッチ１５がＯＮ作動すると、リフタテーブル１３上のシート材Ｗがなくなるかまたは残り枚数がきわめて少数となっていわゆる空載状態となったことを意味することから、上記リミットスイッチ１５のＯＮ作動をもってリフタテーブル１３が一気に下降して、もう一方のリミットスイッチ１６がＯＮ作動する位置にて停止する。このタイミングをもってシート材Ｗを取り出すべきストッカーが一方のシート材ストッカー３Ａ側から他方のシート材ストッカー３Ｂに切り換えられる。そして、他方のシート材ストッカー３Ｂ側では上記と同様のシート材Ｗの取り出し作業が継続されるとともに、空載状態となった一方のシート材ストッカー３Ａ側では作業者によるシート材Ｗの補充作業が行われることになる。
【００２６】
ここで、各シート材ストッカー３Ａ，３Ｂのケース７には、シート材Ｗのいわゆる二枚取り防止のための曲率付与機構としてゲートブロック１８を設けてある。シート材ストッカー３Ａ，３Ｂのケース７は、矩形状のシート材Ｗの四周の四辺を揃えるかたちで当該シート材Ｗを積層・収容するために、平面視にて矩形状をなしていることは先に述べた。
【００２７】
そこで、本実施の形態では、図３のほか同図の要部を拡大した図５に示すように、多数のシート材Ｗを積層・収容しているケース７の上端部内壁面のうち、シート材Ｗの対向二辺部に相当するそれぞれの内壁面同士のなす距離が上方に向かって漸次小さくなるように、上記それぞれの内壁面にくさび状のゲートブロック１８を対向配置してある。これにより、ケース７の上端部内壁面のうち、シート材Ｗの対向二辺部に相当するそれぞれの内壁面同士のなす距離が上方に向かって漸次小さくなるように、上記それぞれの内壁面を傾斜面１８ａとしてある。さらに、各ゲートブロック１８の上面にはトッププレート１９を付設することで、そのトッププレート１９，１９同士のなす距離がシート材Ｗが通過可能な最小寸法部となっている。
【００２８】
したがって、このように構成されたシート材ストッカー３Ａ，３Ｂによれば、ケース７内に積層・収容されているシート材Ｗの積層体うち最上位のシート材Ｗが在席センサ１４にて検知される取り出し高さ位置にある場合、その最上位のシート材Ｗはもちろんのこと、その最上位のシート材Ｗを含む上位側の複数枚のシート材Ｗの対向二辺部は、必ずゲートブロック１８の傾斜面１８ａに当接していることになる。
【００２９】
そして、先に述べたように、ケース７の上端部にゲートブロック１８が対向配置されていることは、ケース７の上端部内壁面のうちシート材Ｗの対向二辺部に相当するそれぞれの内壁面同士のなす距離が傾斜面１８ａをもって上方に向かって漸次小さくなるように徐変していることにほかならない。
【００３０】
そのため、最上位のシート材Ｗを含む上位側の複数枚のシート材Ｗにはシート材Ｗ自体の自己弾性力のもとで上側に向かって凸となるように湾曲して所定の曲率が自律的に付与されている。同時に、上位側の複数枚のシート材Ｗが当接している部位が傾斜面１８ａであることによって、最上位のシート材Ｗに付与される曲率が最も大きく、傾斜面１８ａに当接している複数枚のシート材Ｗのうちでも下位のシート材Ｗになるほど付与される曲率が段階的に小さいものとなる。
【００３１】
このように傾斜面１８ａに接している複数枚のシート材Ｗに上側に向かって凸となる曲率が付与されることで、それらのシート材Ｗ同士の少なくとも中央部が相互に剥離して空間が確保されることになる。
【００３２】
そのため、先に述べた移載ヘッド１１側のバキュームパッド１２の吸着支持に基づくシート材ストッカー３Ａまたは３Ｂからのシート材Ｗの取り出しにあたって、シート材Ｗを確実に一枚ずつ取り出すことができ、シート材Ｗの二枚取りを未然に防止することができるようになる。
【００３３】
なお、シート材Ｗのいわゆる二枚取り防止だけに着目した場合には、必要に応じて、シート材ストッカー３Ａ，３Ｂ側でのシート材Ｗに対する曲率付与として並行して、それらの曲率が付与されることになる上位側の複数枚のシート材Ｗ同士の間に、外部からエアを吹き込むようにしても良い。
【００３４】
ここで、上記のようにシート材ストッカー３Ａまたは３Ｂから一枚ずつ取り出されたシート材Ｗは後段の接着剤塗布工程Ｓ２，Ｓ４にて接着剤が塗布されることは先に述べたとおりである。そして、上記のようにシート材ストッカー３Ａまたは３Ｂからのシート材Ｗの取り出しにあたって、取り出し前のシート材Ｗに上側に向かって凸となる曲率を予め付与しておくことで、シート材Ｗに対する接着剤の塗布品質の向上にも貢献できることが判明した。
【００３５】
より具体的には、多数枚積層した樹脂製のシート材Ｗのうち上側のものから順に一枚ずつ取り出すことを前提とした場合、積層状態では上載荷重のためにシート材Ｗ同士が密着してはいても、それぞれのシート材Ｗは多かれ少なかれ反りを有していて、しかもその反りは必ずしも一様ではない。そのため、一枚ずつ取り出したシート材Ｗを接着剤塗布作業に供すると、塗布が塗布ガン６による散布となるため、個々のシート材Ｗが持つ反りの影響で接着剤の塗布品質にばらつきが発生し、接着剤塗布品質の向上とその安定化を図るにも限界がある。
【００３６】
これに対して、上記実施の形態のように、個々のシート材Ｗを湾曲させて所定の曲率を予め付与しておき、その曲率が自己復元力にて元の状態に復元してしまう前にシート材Ｗの表裏両面への接着剤塗布作業を終えてしまうものとすると、シート材Ｗを強制的に湾曲させることで付与された曲率が残っている限りにおいては、個々のシート材Ｗが本来的に有している反りは一時的に矯正され、個々のシート材Ｗが個別に有している曲率は逆にほぼ均一で安定したものとなる。
【００３７】
そのため、個々のシート材Ｗが所定の曲率を有していることを前提に、図１の接着剤塗布工程Ｓ２，Ｓ４での接着剤塗布条件を設定した上でそれぞれに接着剤塗布作業を行えば、シート材Ｗに対する接着剤の塗布品質が安定化するとともに、その塗布品質が向上することになる。
【００３８】
なお、上記接着剤塗布工程Ｓ２に続く接着剤塗布工程Ｓ４での接着剤塗布作業に際しては、先に述べたようにシート材Ｗが表裏反転された状態での作業となるので、この接着剤塗布工程Ｓ４ではシート材Ｗが下向きの凸となるような曲率を付与された状態での接着剤塗布作業となる。
【００３９】
また、上記実施の形態では、リチウムイオン二次電池のモジュールとして、薄型ラミネート構造の複数枚のセルを金属製のハードケースに収容してモジュール化する際に、絶縁シートとして使用されるシート材を例にとって説明したが、これは一例にすぎず、本発明は他の樹脂材料または異材質のシート材にも適用できることは言うまでもない。
【図１】
2014034363.tif 000003
【図２】
2014034363.tif 000004
【図３】
2014034363.tif 000005
【図４】
2014034363.tif 000006
【図５】
2014034363.tif 000007
【手続補正書】
【提出日】平成25年11月19日(2013.11.19)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
（削除）
【請求項６】
（削除）
【請求項７】
（削除）
【請求項８】
（削除）
【請求項９】
（削除）
【請求項１０】
シート材ストッカーのケースに多数枚積層・収容されたシート材をシート材取り出し手段により上側のものから順に一枚ずつ取り出しては接着剤塗布工程に移送し、この接着剤塗布工程にて上記シート材に接着剤を塗布する方法であって、
上記シート材に接着剤を塗布する前であって且つ上記シート材ストッカー側にシート材が積層されている状態で当該シート材に所定の曲率を付与するようにしたシート材の接着剤塗布方法。
【請求項１１】
上記接着剤塗布工程では、シート材に対して塗布ガンが接着剤を散布することでその塗布を行うものである請求項１０に記載のシート材の接着剤塗布方法。
【請求項１２】
最上位のシート材を含む上位側の複数枚のシート材に予め上側に向かって凸となる曲率を付与するようにした請求項１０または１１に記載のシート材の接着剤塗布方法。
【請求項１３】
上位側のシート材ほど曲率が大きくなるように複数枚のシート材に予め曲率を付与するようにした請求項１２に記載のシート材の接着剤塗布方法。
【請求項１４】
上記シート材ストッカー側では、最上位のシート材がシート材取り出し手段による取り出し高さ位置となるように、上記シート材取り出し手段によるシート材の取り出し動作に連動してシート材積層体が順次押し上げられるようになっていて、
上記シート材積層体の押し上げ状態において、最上位のシート材を含む上位側の複数枚のシート材に予め曲率を付与するようにした請求項１２または１３に記載のシート材の接着剤塗布方法。
【請求項１５】
上記最上位のシート材を含む上位側の複数枚のシート材に、それらのシート材同士の少なくとも中央部が相互に剥離するように、予め曲率を付与するようにした請求項１１〜１４のいずれか一つに記載のシート材の接着剤塗布方法。
【手続補正３】
【補正対象書類名】明細書
【補正対象項目名】０００１
【補正方法】変更
【補正の内容】
【０００１】
技術分野
［０００１］
本発明は、シート材の接着剤塗布方法に関し、特にシート材ストッカーのケースに多数枚積層・収容されたシート材をシート材取り出し手段により上側のものから順に一枚ずつ取り出した上で接着剤を塗布する方法に関する。
背景技術
［０００２］
周知のように、ストッカーに多数枚積層・収容されたシート材のうち上側のものから順に一枚ずつ取り出すに際して、いわゆる二枚取りを防止したいとの要請があり、例えば特許文献１には二枚取り防止具を備えたシート材の移送装置が開示されている。
［０００３］
この特許文献１に記載された技術では、対象となるシートよりも一回り小さな穴を有する二枚取り防止具を用意し、ストッカーからシート取り出し手段にてシートを取り出す際に、上記二枚取り防止具にシートを通過させて当該シートの縁部を下方に撓ませるようにしたものである。この方法によれば、シート取り出し手段にて取り出そうとしたシート材が仮に二枚以上重なっていた場合に、最上位のシートのみを残してそれ以外のシートを剥がすことができ、シートを一枚ずつ確実に取り出すことができるとされている。
［０００４］
しかしながら、特許文献１に記載された技術では、例えば紙や布等の柔軟性のあるシートの場合には適用することができたとしても、例えば樹脂シートのように比較的剛性の高いシートの場合には、二枚取り防止具にシートを通過させることが困難であり、なおも改善の余地を残している。
先行技術文献
特許文献
［０００５］
特許文献１：特開２０００−１６８９７６号公報
【手続補正４】
【補正対象書類名】明細書
【補正対象項目名】０００２
【補正方法】変更
【補正の内容】
【０００２】
発明の概要
［０００６］
本発明はこのような課題に着目してなされたものであり、接着剤の塗布に先立って、多数枚積層されたシート材をシート材取り出し手段により上側のものから順に一枚ずつ取り出すにあたって、シート材が比較的剛性の高いものであっても、簡単な構造のもので二枚取りを防止できるようにしたシート材の接着剤塗布方法を提供しようとするものである。
［０００７］
本発明は、シート材ストッカーのケースに多数枚積層・収容されたシート材をシート材取り出し手段により上側のものから順に一枚ずつ取り出しては接着剤塗布工程に移送し、この接着剤塗布工程にて上記シート材に接着剤を塗布する方法である。その際に、上記シート材に接着剤を塗布する前であって且つ上記シート材ストッカー側にシート材が積層されている状態で当該シート材に所定の曲率を付与するものである。
［０００８］
本発明によれば、最上位のシート材を含む上位側の複数枚のシート材に予め上側に向かって凸となる曲率を付与すれば、少なくとも最上位のシート材とその下のシート材とが剥離して両者の間に隙間が形成されることになるので、シート材取り出し手段によるシート材の取り出しに際して二枚取りを未然に防止することができる。
図面の簡単な説明
［０００９］
［図１］本発明に係るシート材の接着剤塗布方法を含む接着剤塗布ラインの概略構成を示す平面説明図。
［図２］図１におけるＤ方向矢視の拡大説明図。
［図３］図１におけるＣ方向矢視の拡大説明図。
［図４］図３の平面説明図。
［図５］図３の要部拡大説明図。
発明を実施するための形態
［００１０］
図１以下の図面は本発明に係るシート材の接着剤塗布方法を実施するためのより具体的な形態を示し、特に図１はシート材に対して接着剤を塗布するためのラインの概略平面図を示している。
［００１１］
上記シート材は、例えばＰＰ（ポリプロピレン）その他の樹脂製で且つ矩
【手続補正書】
【提出日】平成26年2月19日(2014.2.19)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
（削除）
【請求項６】
（削除）
【請求項７】
（削除）
【請求項８】
（削除）
【請求項９】
（削除）
【請求項１０】
シート材ストッカーのケースに多数枚積層・収容されたシート材をシート材取り出し手段により上側のものから順に一枚ずつ取り出しては接着剤塗布工程に移送し、この接着剤塗布工程にて上記シート材に接着剤を塗布する方法であって、
上記接着剤塗布工程では、シート材に対して塗布ガンが接着剤を散布することでその塗布を行うものであり、
上記シート材に接着剤を塗布する前であって且つ上記シート材ストッカー側にシート材が積層されている状態で当該シート材に所定の曲率を付与し、
上記所定の曲率を付与されたシート材が元の状態に復元してしまう前に上記接着剤塗布工程での接着剤の塗布を終えるようにしたシート材の接着剤塗布方法。
【請求項１１】
（削除）
【請求項１２】
最上位のシート材を含む上位側の複数枚のシート材に予め上側に向かって凸となる曲率を付与するようにした請求項１０に記載のシート材の接着剤塗布方法。
【請求項１３】
上位側のシート材ほど曲率が大きくなるように複数枚のシート材に予め曲率を付与するようにした請求項１２に記載のシート材の接着剤塗布方法。
【請求項１４】
上記シート材ストッカー側では、最上位のシート材がシート材取り出し手段による取り出し高さ位置となるように、上記シート材取り出し手段によるシート材の取り出し動作に連動してシート材積層体が順次押し上げられるようになっていて、
上記シート材積層体の押し上げ状態において、最上位のシート材を含む上位側の複数枚のシート材に予め曲率を付与するようにした請求項１２または１３に記載のシート材の接着剤塗布方法。
【請求項１５】
上記最上位のシート材を含む上位側の複数枚のシート材に、それらのシート材同士の少なくとも中央部が相互に剥離するように、予め曲率を付与するようにした請求項１２〜１４のいずれか一つに記載のシート材の接着剤塗布方法。
【手続補正２】
【補正対象書類名】明細書
【補正対象項目名】０００２
【補正方法】変更
【補正の内容】
【０００２】
発明の概要
［０００６］
本発明はこのような課題に着目してなされたものであり、接着剤の塗布に先立って、多数枚積層されたシート材をシート材取り出し手段により上側のものから順に一枚ずつ取り出すにあたって、シート材が比較的剛性の高いものであっても、簡単な構造のもので二枚取りを防止できるようにしたシート材の接着剤塗布方法を提供しようとするものである。
［０００７］
本発明は、シート材ストッカーのケースに多数枚積層・収容されたシート材をシート材取り出し手段により上側のものから順に一枚ずつ取り出しては接着剤塗布工程に移送し、この接着剤塗布工程にて上記シート材に接着剤を塗布する方法である。そして、上記接着剤塗布工程では、シート材に対して塗布ガンが接着剤を散布することでその塗布を行うものであり、上記シート材に接着剤を塗布する前であって且つ上記シート材ストッカー側にシート材が積層されている状態で当該シート材に所定の曲率を付与し、上記所定の曲率を付与されたシート材が元の状態に復元してしまう前に上記接着剤塗布工程での接着剤の塗布を終えるようにしたものである。
［０００８］
本発明によれば、最上位のシート材を含む上位側の複数枚のシート材に予め上側に向かって凸となる曲率を付与すれば、少なくとも最上位のシート材とその下のシート材とが剥離して両者の間に隙間が形成されることになるので、シート材取り出し手段によるシート材の取り出しに際して二枚取りを未然に防止することができる。
図面の簡単な説明
［０００９］
［図１］本発明に係るシート材の接着剤塗布方法を含む接着剤塗布ラインの概略構成を示す平面説明図。
［図２］図１におけるＤ方向矢視の拡大説明図。
［図３］図１におけるＣ方向矢視の拡大説明図。
［図４］図３の平面説明図。
［図５］図３の要部拡大説明図。
発明を実施するための形態
［００１０］
図１以下の図面は本発明に係るシート材の接着剤塗布方法を実施するためのより具体的な形態を示し、特に図１はシート材に対して接着剤を塗布するためのラインの概略平面図を示している。
［００１１］
上記シート材は、例えばＰＰ（ポリプロピレン）その他の樹脂製で且つ矩
【国際調査報告】
2014034363.tif 000008
2014034363.tif 000009
2014034363.tif 000010
2014034363.tif 000011